(57)【要約】
　【課題】　蒸し暑い時には、涼しさと雨に対する備えが必要になるが、その両方を兼ね備えたものを提供する。
【解決手段】　従来からあるうちわ型扇子の柄を折畳み式にして、うちわに開いた時には団扇面の骨の数を少なくする事で円錐形に形成して、団扇面には防水を施して、扇ぎ具から簡易な雨具としても利用できる。これに専用の包装袋を手元から中心部まで覆って組合せれば更に防滴機能が増す。収納する時は包装袋を裏返して袋部分に滴を溜めるように包めば、他への濡れを防げるのでどこにでも仕舞う事ができる。
【選択図】　図１
0003099734.tif 000002
【実用新案登録請求の範囲】
【請求項１】
扇子の状態から親骨を一回転するとうちわになるうちわ型扇子の柄は折畳み式であり、うちわにした時の団扇面は平板でなく円錐形に形成されており、団扇面には防水を施すか撥水系の素材を用いてあり、円周は紐様のもので補強し、扇ぎ具から傘代わりにもなるうちわ型扇子兼用簡易雨具。
【請求項２】
請求項１のうちわ型扇子兼用簡易雨具の包装袋は、四角形で表裏とも防水が施され、四角形の一方の角は袋が設けられ、その反対側の角はハトメで囲った穴が設けられ、他の二角には留め具が付いており、円錐形のうちわに被せて組み合わせると、扇ぎ具から傘代わりにもなるうちわ型扇子兼用簡易雨具。
【考案の詳細な説明】
【技術分野】
【０００１】
　　本考案は、扇子の親骨の一方を一回転することによってうちわになる、うちわ型扇子に関するものである。
【背景技術】
【０００２】
　　　従来からうちわ型扇子は、扇子にした時には親骨が長く出ているため扇ぐとその親骨が体に当たり使い難い。その親骨を一回転すればうちわになるが、うちわにして扇ぐ時は前後に大きく揺れるため風を送り難いうえ壊れ易い。
【０００３】
　　　従来雨具は傘が主であるが、傘は雨の時以外の用途がなく携帯には不便である。また濡れた傘は置き場所に困るもので、特に車では濡れた傘の置き場所がない。折畳み傘は重く荷物になり畳み方が面倒である。以上のように携帯に便利で雨以外の用途にも使える雨具はない。
【考案の開示】
【考案が解決しようとする課題】
【０００４】
　　　うちわ型扇子は、扇ぎ具として扇子やうちわのように普及していないのは、上記のように扇子でもうちわに開いた時でも風を送り難く壊れ易いという問題点を有していた。
【０００５】
　　　これだけ雨の多い我が国で、傘とカッパ以外に携帯に便利で安価な雨具はない。傘やカッパは雨の時以外の用途がないため、急な雨の時や車などでは持っていない事が多い。本考案はバッグや車中に小さく畳めて携帯に便利な、雨以外の用途にも使える安価でファッションにも優れた雨具を提供しようとするものである。
【課題を解決するための手段】
【０００６】
　　　従来のうちわ型扇子は、うちわで扇ぐ時には前後に揺れてスムーズに風が送る事ができないので、揺れを防ぐ為に団扇面を平らな状態よりも中骨を少なくして円錐形にする。団扇面は要から先の扇骨の長さを調整して支える。円錐形の周囲には強い引張り力が生じるので、紐様の物で補強すれば円錐形に固定することができるので、前後に揺れず安定して風を送ることができる。
【０００７】
　　　また扇子で扇ぐ時には、親骨の柄が扇面から大きく出て顔や体に当たり扇ぎにくいので、柄を折畳み式にして親骨に留めておく。これなら普通の扇子と同じように扇げるし、柄の長さは親骨の長さまで自由にでき、畳めば短くなるので携帯にも便利である。
【０００８】
　　　扇子から開いた円錐形の団扇面は、要付近まで貼り防水を施す。団扇面は防水に優れていれば和紙でなくとも良い。この防水の円錐形うちわだけでも小雨なら傘代わりに使える。それ以上の雨の時には要部分からの水漏れと柄を持つ手が濡れるのを防ぐため、専用の包装袋を組合わせる。包装袋は防水を施してある四角形で、一つの角には要部分を入れる袋が設けてあり、その対角には柄を通す穴を設けて、他の二角には団扇面に留める留め具が設けてある。包装袋は最初に柄を穴に通してから袋に要を入れ他の二角を扇面に留めれば、手で持つ事で引っ張られるので外れない。しまう時は包装袋を裏返し、袋部分に滴を溜める事ができるので他への濡れを防げる。これなら携帯に便利な扇ぎ具から、折畳みが簡単で表裏どちらでも使える安価な雨具が提供できるのである。
【考案の効果】
【０００９】
　　　本考案のうちわ型扇子兼用簡易雨具は、携帯に便利で折畳みが簡単なので、晴れた時には扇子やうちわや日傘として使い、急な雨の時には雨具としても利用できます。また車中では傘の置き場所や、濡れた傘の始末に困るものであるが、小さく畳めるので何処にでも入れて置けます。しかも安価で、絵柄も表裏どちらも使えるのでファッションや広告媒体としても利用できます。
【実施例】
【００１０】
　　　以下図を使って説明すると、従来うちわ型扇子は図６のように柄が出た状態で、そのまま扇子に開いても柄が邪魔をして扇ぐことが出来ないので、図４、５のように親骨に折畳んでおけば普通の扇子のように扇ぐことができるし、短くなるので携帯にも便利である。
【００１１】
　　　図７は円錐形にしたうちわである。団扇面を円錐形の状態で固定する為に扇骨の数を減らし、要から先の扇骨（記号Ｆ）の長さを調整して団扇面を支える。円錐形の周囲には強い引張り力が働くので、（記号Ｈ）は紐様のもので補強する。これで団扇面は円錐形に固定できるので、揺れずに安定して風を送る事ができ表裏どちらも使う事ができる。
【００１２】
図２は、本考案のうちわ型扇子兼用簡易雨具である。扇子から親骨を一回転させて円錐形のうちわを形成し、その円錐形のうちわに図３の包装袋を被せて簡易雨具にしたものである。団扇面は表裏とも防水を施し、水を弾くものであれば和紙でなくともよい。小雨なら円錐形のうちわだけでも濡れを防げるが、それ以上の降雨では包装袋を組み合わせる。包装袋を組み合わせることで、中心の要部分からの水漏れと手元が濡れるのを防げる。この包装袋の（符号Ｂ）の穴にうちわの柄を通し、（符号Ａ）の袋になっている所には図８の（符号Ｆ）の要から先の扇骨に掛けて、符号Ｃの留め具で団扇面に固定すると図１になる。収納する時は、包装袋を裏返して（符号Ａ）の袋の部分で滴を溜めておけるので、他への濡れを防ぐ事ができ、どこにでも収納できます。普段は携帯に便利な扇ぎ具として、急な雨の時には簡易雨具として利用できます。
【図面の簡単な説明】
【００１３】
【図１】簡易雨具の平面図
【図２】簡易雨具の側面図
【図３】（ａ）包装袋の平面図　　　　　　　 (ｂ) 包装袋の留め具の詳細図
【図４】扇子の正面図
【図５】扇子の側面図
【図６】柄を伸ばした扇子の正面図
【図７】うちわの正面図
【図８】うちわの側面図
【符号の説明】
【００１４】
　　　　Ａ．　包装袋の袋の部分
　　　　Ｂ．　包装袋のハトメで囲った穴
　　　　Ｃ．　包装袋の留め具
　　　　Ｄ．　折畳む柄の留め具
　　　　Ｅ．　折畳める柄
　　　　Ｆ．　要から先の扇骨
　　　　Ｇ．　うちわにした時の柄の留め具
　　　　Ｈ．　円周の補強紐
【図１】
0003099734.tif 000003
【図２】
0003099734.tif 000004
【図３】
0003099734.tif 000005
【図４】
0003099734.tif 000006
【図５】
0003099734.tif 000007
【図６】
0003099734.tif 000008
【図７】
0003099734.tif 000009
【図８】
0003099734.tif 000010